(57)【要約】【課題】自動調心ころ軸受に組み込まれる保持器の溶接部が、ころの端面に接触しないようにする。【解決手段】自動調心ころ軸受１は、外輪１０と、内輪２０と、軌道面１１と軌道面２１の間に組み込まれた複数のころ３０と、複数のころ３０を周方向に間隔をあけて保持する保持器４０と、を備える。保持器４０は、曲げ加工された帯状材料の突合せ部を接合した溶接部４１ａを有する環状部４１と、環状部４１の両端面から突出する複数の第１柱部４２及び第２柱部４３と、各第１柱部４２の間及び各第２柱部４３の間に形成される複数のポケット４４を有する。溶接部４１ａと周方向の位置が一致するポケット４４の深さを、他のポケット４４よりも深いものとした。【選択図】図１
2020159379.tif 000002
【特許請求の範囲】
【請求項１】
内径側に軌道面を有する外輪と、
外径側に前記外輪の軌道面と対向する軌道面を有する内輪と、
前記外輪の軌道面と前記内輪の軌道面の間に組み込まれた複数のころと、
前記複数のころを前記外輪および前記内輪の周方向に間隔をあけて保持する保持器と、を備え、
前記内輪は、その内輪の軌道面から径方向に突出して前記複数のころの軸方向中央側への移動を規制する移動規制面を備えた中つばを有し、
前記保持器は、前記内輪の外周を取り巻く環状部と、前記環状部の両端面から、その環状部の軸方向に突出し、かつ環状部の周方向に複数並列する柱部と、前記環状部の周方向に隣り合った柱部の間に形成されたポケットと、曲げ加工された帯状材料の突合せ部を接合した溶接部と、を有し、
前記溶接部が、前記ポケットの前記ころの端面に対向する底部の縁と重なる位置にあり、その底部の縁と重なる位置に前記溶接部があるポケットの、前記柱部の突端からころの端面に対向する底部の縁までの深さが、前記溶接部の存在しない他のポケットの深さよりも深い自動調心ころ軸受。
【請求項２】
前記溶接部の一端に、軸方向に突出した溶接ビードが存在し、
その溶接ビードの突端も、前記中つばの移動規制面よりも前記ころから離れた位置にある請求項１に記載の自動調心ころ軸受。
【請求項３】
前記ポケットの、前記ころの端面に対向する底部の縁の周方向中央部に凹部が存在し、その凹部が、前記中つばの移動規制面よりも前記ころから離れていてその凹部に前記溶接部がある請求項１又は２に記載の自動調心ころ軸受。
【請求項４】
前記保持器が周方向に複数に分割された帯状材料で形成されていて前記溶接部が同一保持器に複数存在し、その複数の溶接部が前記ポケットの、前記中つばの移動規制面よりも前記ころから離れた箇所にある請求項１から３のいずれかに記載の自動調心ころ軸受。
【請求項５】
前記ポケットの、前記ころの端面に対向する底部の縁の全域が、前記中つばの移動規制面よりも前記ころから離れており、そのポケットの中つばの移動規制面よりも前記ころから離れた箇所の周方向幅が前記ころの端部の外径よりも小さい請求項１から４のいずれかに記載の自動調心ころ軸受。
【請求項６】
ポケットの前記中つばの移動規制面よりも前記ころから離れた箇所が、前記ころの端面に対向する底部の縁に向かって周方向幅が減少するテーパ状に加工されている請求項５に記載の自動調心ころ軸受。
【発明の詳細な説明】
【技術分野】
【０００１】
この発明は、自動調心ころ軸受に関する。
【０００２】
自動調心ころ軸受は、調心性を有し、軸のたわみや取り付け誤差が生じる箇所の軸受として好適に使用される。また、自動調心ころ軸受は、負荷容量が大きく振動荷重や、衝撃荷重を受ける用途に適している。そのため、大型の風力発電機等や振動スクリーン等の大型機器にも用いられる。
【０００３】
そのような自動調心ころ軸受の例として、特許文献１には、内径側に軌道面を有する外輪と、外径側に前記外輪の軌道面と対向する軌道面を有する内輪と、前記外輪の軌道面と前記内輪の軌道面の間に組み込まれた複数のころと、前記複数のころを前記外輪および前記内輪の周方向に間隔をあけて保持する保持器と、を備え、前記保持器は、前記内輪の外周を取り巻く環状部と、前記環状部の両端面から、その環状部の軸方向に突出し、かつ環状部の周方向に複数並列する柱部と、前記環状部の周方向に隣り合った柱部の間に形成されたポケットと、曲げ加工された帯状材料の突合せ部を接合した溶接部と、を有する自動調心ころ軸受が開示されている。
【０００４】
この種の保持器の中に曲げ加工した帯状材料の突合せが、ポケットの形成部においてなされるものがある。曲げ加工した帯状材料の突合せ溶接をポケットが形成される位置で行うと、その溶接を隣り合うポケット間（柱部が形成される位置）で行うものと比べて、溶接部の接合面積が小さくなるため、溶接にかかる加工費用を低減することができ、保持器の製造費用を削減することが可能になる。
【先行技術文献】
【特許文献】
【０００５】
【特許文献１】米国特許第９２７３７２６号明細書
【発明の概要】
【発明が解決しようとする課題】
【０００６】
曲げ加工した帯状材料の突合せ溶接をポケット形成部で行った保持器は、溶接部の一端に溶接ビードが形成される。溶接ビードは、ポケットの、ころの端面が接触する面から、ポケット内に突出する。そのため、その溶接ビードが除去されずに残されていると、ころの端面に接触する。
【０００７】
その接触によって、ころの挙動は不安定になる。挙動が不安定化したころは、ポケットの内面に繰り返し接触する。溶接部は組織的に不安定なため、ころの接触の衝撃によって、破断等が起こる虞がある。
【０００８】
さらに、溶接部は、高硬度であり、その溶接部の接触によりころの端面のいわゆるかじりによる傷つきが発生する。そのため、ころの寿命短縮やころの回転トルク増大の問題が生じる虞もある。
【０００９】
曲げ加工した帯状材料の突合せ部には、突合せ端のズレによって、軸方向に段差が生じることがある。その段差のエッジ部にころの端面が接触すると、上述したころの挙動の不安定化、溶接部の破壊、ころの端面の損傷、ころの回転トルクの増大などの問題が起こる。
【００１０】
そこで、本発明の解決すべき課題は、自動調心ころ軸受において、組み込まれる保持器の溶接部が、ころの端面に接触しないようにすることである。
【課題を解決するための手段】
【００１１】
上記した課題を解決するため、本発明の自動調心ころ軸受は、内径側に軌道面を有する外輪と、外径側に前記外輪の軌道面と対向する軌道面を有する内輪と、前記外輪の軌道面と前記内輪の軌道面の間に組み込まれた複数のころと、前記複数のころを前記外輪および前記内輪の周方向に間隔をあけて保持する保持器と、を備え、前記内輪は、その内輪の軌道面から径方向に突出して前記複数のころの軸方向中央側への移動を規制する移動規制面を備えた中つばを有し、前記保持器は、前記内輪の外周を取り巻く環状部と、前記環状部の両端面から、その環状部の軸方向に突出し、かつ環状部の周方向に複数並列する柱部と、前記環状部の周方向に隣り合った柱部の間に形成されたポケットと、曲げ加工された帯状材料の突合せ部を接合した溶接部と、を有し、前記溶接部が、前記ポケットの前記ころの端面に対向する底部の縁と重なる位置にあり、その底部の縁と重なる位置に前記溶接部があるポケットの、前記柱部の突端からころの端面に対向する底部の縁までの深さが、前記溶接部の存在しない他のポケットの深さよりも深いものとした。
【００１２】
また、前記溶接部の一端に、軸方向に突出した溶接ビードが存在し、その溶接ビードの突端も、前記中つばの移動規制面よりも前記ころから離れた位置にあるものとすることができる。
【００１３】
また、前記ポケットの、前記ころの端面に対向する底部の縁の周方向中央部に凹部が存在し、その凹部が、前記中つばの移動規制面よりも前記ころから離れていてその凹部に前記溶接部があるものとすることができる。
【００１４】
また、前記保持器が周方向に複数に分割された帯状材料で形成されていて前記溶接部が同一保持器に複数存在し、その複数の溶接部が前記ポケットの、前記中つばの移動規制面よりも前記ころから離れた箇所にあるようにするのがよい。
【００１５】
また、他のポケットよりも深さを深くしたポケットは、前記ころの端面に対向する底部の縁の全域が他のポケットよりも深さが深くなる方向に入り込んでいるものとすることができる。すなわち、前記ポケットの、前記ころの端面に対向する底部の縁の全域が、前記中つばの移動規制面よりも前記ころから離れており、そのポケットの中つばの移動規制面よりも前記ころから離れた箇所の周方向幅が前記ころの端部の外径よりも小さいものとすることができる。
【００１６】
また、前記底部の縁の前記帯状材料の突合せ溶接がなされる部分（一部分）のみが他のポケットよりも深さが深くなる方向に入り込んでいるものとすることができる。
【００１７】
また、ポケットの前記中つばの移動規制面よりも前記ころから離れた箇所が、前記ころの端面に対向する底部の縁に向かって周方向幅が減少するテーパ状に加工されているものとすることができる。すなわち、他のポケットよりも深さを深くするポケットは、底部側（ころの端面に対向する側）を底部の縁に向かって周方向の幅が減少するテーパ状に加工することができる。さらに、そのテーパ部のポケット幅（周方向の寸法）をころの軸方向端部の外径よりも小さくすることができる。
【００１８】
この発明においては、自動調心ころ軸受用の保持器の製造方法も併せて提供する。その製造方法は、内径側に軌道面を有する外輪と、外径側に前記外輪の軌道面と対向する軌道面を有する内輪と、前記外輪の軌道面と前記内輪の軌道面の間に組み込まれた複数のころと、を準備する工程と、各々が端面から幅方向に突出している柱部と、周方向に隣り合う前記柱部間に形成されるポケットを両端面に有する帯状材料であって、その帯状材料の長手方向両端部の前記ポケットは、曲げ加工された帯状材料の突合せ部を溶接したのちにもみ抜き加工によって形成される。
【００１９】
前記帯状材料の溶接はフラッシュバット溶接によって行うとよい。
【発明の効果】
【００２０】
発明にかかる自動調心ころ軸受は、上記構成の採用により、保持器を構成する曲げ加工された帯状材料の突合せ端を、ころの端面から確実に離反させて、前記溶接部や前記帯状材料の突合せ端の軸方向ズレによる段差のエッジ部に対するころの端面の接触を確実に防止することができる。
【００２１】
前記溶接部の一端に、軸方向に突出した溶接ビードが存在し、その溶接ビードの突端も、前記中つばの移動規制面よりも前記ころから離れた位置にした自動調心ころ軸受は、ころの軸方向中央側への移動が、中つばの移動規制面によって規制される。一方、保持器は、ポケットの底部の縁がころの端面に当接する位置まで軸受の軸方向に動くことができるが、このときに、ころの端面に底部の縁が当接するポケットは、深さの浅いポケットである。
【００２２】
前記ポケットの、前記ころの端面に対向する底部の縁の周方向中央部に凹部が存在し、その凹部が、前記中つばの移動規制面よりも前記ころから離れていてその凹部に前記溶接部があるものとする構成を採用した自動調心ころ軸受は、前記溶接部の一端に突出して形成された溶接ビードの突端が凹部の内側にある限り、その溶接ビードの突端は、ころの端面に接触しないものとすることができる。
【００２３】
大型の風力発電機等や振動スクリーン等の大型機器には大型の自動調心ころ軸受が用いられる。そのような自動調心ころ軸受に組み込まれる保持器を、前記保持器が周方向に複数に分割された帯状材料で形成されていて前記溶接部が同一保持器に複数存在し、その複数の溶接部が前記ポケットの、前記中つばの移動規制面よりも前記ころから離れた箇所にあるものとすることで、小さく分割された材料をそれぞれ加工し、それらを接合して一体の大型の保持器にすることが可能になる。
【００２４】
前記ポケットの、前記ころの端面に対向する底部の縁の全域が、前記中つばの移動規制面よりも前記ころから離れており、そのポケットの中つばの移動規制面よりも前記ころから離れた箇所の周方向幅が前記ころの端部の外径よりも小さいものとする構成を採用した自動調心ころ軸受は、その深さの浅いポケットの底部の縁がころの端面に接した状態では、深さの深いポケットの底部の縁の全域が、ころの端面が当接している中つばの移動規制面よりもころから離れた位置にある。そのため、深さの深いポケットに設けられた溶接部がころの端面に接触することが無くなる。
【００２５】
前記底部の縁の前記帯状材料の突合せ溶接がなされる部分（一部分）のみが他のポケットよりも深さが深くなる方向に入り込んでいる構成を採用した自動調心ころ軸受は、その深さの浅いポケットの底部の縁がころの端面に接した状態では、前記底部の縁の前記帯状材料の突合せ溶接がなされる部分が、ころの端面に当接している中つばの移動規制面よりもころから離れた位置にある。そのため、溶接部がころの端面に接触することが無くなる。
【００２６】
ポケットの前記中つばの移動規制面よりも前記ころから離れた箇所が、前記ころの端面に対向する底部の縁に向かって周方向幅が減少するテーパ状に加工されているものとする構成を採用した自動調心ころ軸受は、他のポケットよりも深さを深くするポケットの周方向の幅が、前記ころの径よりも小さくなるため、ころの軸方向の中央側への移動をテーパ部のポケット面によっても阻止することができる。そのため、前記溶接部と前記ころの端面との接触を防ぐことが可能になる。
【図面の簡単な説明】
【００２７】
【図１】自動調心ころ軸受の一例を示す斜視図である。
【図２】図１の自動調心ころ軸受の断面図である。
【図３】図１の自動調心ころ軸受に採用した保持器の斜視図である。
【図４】同上の保持器のころとポケットの正面図である。
【図５】自動調心ころ軸受の他の例のころとポケットの正面図である。
【図６】自動調心ころ軸受の他の例のころとポケットの正面図である。
【図７】図１の自動調心ころ軸受に採用した保持器の他の例を示す斜視図である。
【発明を実施するための形態】
【００２８】
以下、添付図面を参照しつつ、この発明の実施形態にかかる自動調心ころ軸受について説明する。
【００２９】
図１、２の自動調心ころ軸受は、内径側に軌道面１１を有する外輪１０と、外径側に外輪１０の軌道面１１と対向する軌道面２１を有する内輪２０と、外輪１０の軌道面１１と内輪２０の軌道面２１の間に組み込まれた複数のころ３０と、複数のころ３０を外輪１０および内輪２０の周方向に間隔をあけて保持する保持器４０と、を備える。
【００３０】
ここで、外輪１０及び内輪２０の回転中心線である軸線に沿った方向を「軸方向」という。また、その軸方向に直交する方向を「径方向」という。また、その軸線回りに一周する円周方向を「周方向」という。
【００３１】
図１、２のように、外輪１０は、外周面１０ａと、内周面１０ｂとを有する環状体であって、内周面１０ｂ上に一定の曲率で球面状に窪む軌道面１１を有する。
【００３２】
内輪２０は、外輪１０の内側に組み込まれる。この内輪２０は、外輪１０の内周面１０ｂと対向する外周面２０ａと、その外周面２０ａと同心の内周面２０ｂと、を有する環状体である。
【００３３】
内輪２０は、外周面２０ａ上に、それぞれ一定の曲率で球面状に窪む複列の軌道面２１と、その複列の軌道面２１の間から径方向に立ち上がる中つば２２と、内輪２０の外周面の軸方向両端の縁部から、径方向に立ち上がる外つば２３とを有する。
【００３４】
複列の軌道面２１のそれぞれは、軸方向の外側から中央側にかけて上り勾配をなす。複列の軌道面２１は、外輪１０の軌道面１１と径方向に対向し、その間に複列の軸受空間が形成される。
【００３５】
中つば２２は、立ち上がった先端に、外輪１０の軌道面１１と軸受の軸心Ｏと平行な平面を有し、軸方向の両端に、移動規制面２２ａを有する。
【００３６】
外つば２３は、軸方向の中央側に、移動規制部２３ａを有する。内輪２０の軌道面２１と、外つば２３の移動規制部２３ａとの間には、周方向に連続した油だまり２４が設けられている。
【００３７】
複数のころ３０は、保持器４０に保持された状態で、外輪１０の軌道面１１と内輪２０の軌道面２１との間の軸受空間に、周方向に並べて組み込まれている。
【００３８】
図２のように、各ころ３０の外周面は、一定の曲率で球面状に膨らんでおり、その外周面が内輪２０の軌道面２１と外輪１０の軌道面１１上を転動する。ころ３０の周面の曲率は、外輪１０及び内輪２０のそれぞれの軌道面１１、２１の曲率と略等しい。
【００３９】
ころ３０の一方の端面は、中つば２２の移動規制面２２ａと軸方向に対向する。また、ころ３０の他方の端面は、外つば２３の移動規制部２３ａと軸方向に対向する。
【００４０】
ころ３０の一方の端面と移動規制面２２ａとの間及び、ころ３０の他方の端面と移動規制部２３ａとの間には摺動隙間が設けられる。
【００４１】
そのため、ころ３０が例えば軸方向の中央側へ移動すると、ころ３０の一方の端面が中つば２２の移動規制面２２ａと接触する。反対に、ころ３０が軸方向の外側に移動すると、ころ３０の他方の端面が外つば２３の移動規制部２３ａに接触する。
【００４２】
このようにして、ころ３０は、中つば２２の移動規制面２２ａと外つば２３の移動規制部２３ａとによって、軸方向の移動を規制されつつ、同方向に僅かに移動可能なように配置されている。
【００４３】
図１及び図３に示すように、保持器４０は、環状体であって、外輪１０と内輪２０との間に組み込まれ、複数のころ３０を保持する。
【００４４】
図３のように、この保持器４０は、内輪２０の外周面を取り巻く環状部４１と、その環状部４１の両端面から軸方向に突出し、かつ環状部４１の周方向に複数並列する第１柱部４２及び第２柱部４３と、その周方向に隣り合う各第１柱部４２の間及び各第２柱部４３の間にそれぞれ形成された複数のポケット４４と、曲げ加工された帯状材料の突合せ部を接合した溶接部４１ａと、を有する。
【００４５】
環状部４１の一端面側に位置する第１柱部４２と、他端面側に位置する第２柱部４３とは、周方向に位相がずれた状態のいわゆる千鳥配列となっている。すなわち、第１柱部４２と第２柱部４３とは、配列ピッチが１／２のずれをもって周方向に互い違いになるよう配列されている。第１柱部４２及び第２柱部４３は、周方向両側の面が、一定の曲率で球面状に窪んだポケット面ｐｆ１となる。
【００４６】
隣り合う第１柱部４２の間に形成された複数のポケット４４は、第１柱部４２のポケット面ｐｆ１と環状部４１の端面であるポケット面ｐｆ２（この発明ではこれをポケットの底部という）に画された反底部側の開放された空間となっている。隣り合う第１柱部４２と同様に、隣り合う第２柱部４３の間においてもポケット４４が形成される。また、上述の通り、第１柱部４２と第２柱部４３は、千鳥配列の位置関係になっている。そのため、環状部４１の一端面側に位置する複数のポケット４４と、他端面側に位置する複数のポケット４４とは、周方向の位相がずれるように互い違いに並列している。
【００４７】
溶接部４１ａは、環状部４１の周方向途中に設けられ、その周方向の位置は、複数の第２柱部４３のうちの一つと一致する。溶接部４１ａの軸方向の一端は、環状部４１の一端面側に位置するポケット４４を臨み、他端は第２柱部４３の軸方向端面上に位置する。
【００４８】
ポケット面ｐｆ１は、ころ３０の外周面を受ける。また、ポケット面ｐｆ２は、ころ３０の一端面と軸方向に対向する。
【００４９】
環状部４１の一端面側に位置する複数のポケット４４の内、溶接部４１ａが設けられた箇所のポケット４４は、第１柱部４２の突端から底部（ポケット面ｐｆ２）までの深さが、他のポケット４４よりも深くなっている。
【００５０】
ポケット４４に収容されたころ３０は、内輪２０の中つば２２又は外つば２３によって軸方向の移動が規制される。一方、ころ３０が軸方向移動の規制された位置にある状況下では、保持器４０は、深さの浅いポケット４４の底部がころ３０の端面に当たるところまで、ころ３０の側への軸方向移動(説明の便宜上、ここではこれを右方向移動と考える）が許容される。
【００５１】
ころ３０の端面に深さの浅いポケット４４の底部が当たると、その時点で保持器４０の右方向移動は停止する。このとき、深さの深いポケット４４の底部は中つば２２に接しているころ３０の端面から離反しており、その底部が離反位置からころ３０に近づくことはない。
【００５２】
そのため、深さの深いポケット４４の底部に軸方向の端部が位置している溶接部４１ａに対してころ３０の端面が接触する事態は起こらない。
【００５３】
図４に示すように、溶接部４１ａの一端に形成される溶接ビード４１ｂがポケット４４の底部から軸方向に突出していても、溶接部４１ａのあるポケット４４の深さが他のポケットよりも深くなっていれば、溶接ビード４１ｂに対するころ３０の端面の接触は起こらない。
【００５４】
次に、例示した自動調心ころ軸受の製造方法について説明する。
【００５５】
まず、軌道面１１を内径側に有する外輪１０と、外輪１０の軌道面１１と対向する軌道面２１を外径側に有する内輪２０と、外輪１０の軌道面１１と内輪２０の軌道面２１の間に組み込まれた複数のころ３０を準備する。
【００５６】
次に、幅方向の一端面から突出する複数の第１柱部４２と、他端面から第１柱部４２とは反対に突出する第２柱部４３とを有する保持器用の帯状材料を準備する。隣り合う第１柱部４２の間及び隣り合う第２柱部４３の間には、それぞれポケット４４が形成されている。第１柱部４２と第２柱部４３とは、その帯状材料の長手方向に互い違いになるように設けられる。帯状材料は、その長手方向の両端部を突き合せたときに、幅方向の一端面側に１つのポケット４４が形成され、他端面側に１つの第２柱部４３が形成されるものになっている。すなわち、帯状材料の長手方向の両端に位置するポケット４４及び第２柱部４３は、その長手方向に１／２サイズになっている。帯状材料は、保持器を組み込む自動調心ころ軸受の大きさによっては、１個で保持器を構成できる場合がある。また、複数個を組み合わせて１個の保持器を構成する場合もある。
【００５７】
この帯状材料の一つは、矩形の板状体に対して切削加工等によって形成する。
【００５８】
次に、この帯状材料を、１個又は複数個が組み合わされたときに環状になるように成形し、成形された材料の端部を突き合わせて突合せ端を溶接する。このようにして両端側に第１柱部４２及び第２柱部４３と、複数のポケット４４とを有する保持器４０を形成する。
【００５９】
次いで、保持器４０の各ポケット４４にころ３０を収め、こうして得られた保持器アセンブリを外輪１０の軌道面１１と内輪２０の軌道面２１との間に組み込んで実施形態の自動調心ころ軸受を製造する。
【００６０】
なお、例示の自動調心ころ軸受の保持器４０は、環状部４１の第１柱部４２と第２柱部４３とを千鳥配列としたが、図５のように、第１柱部４２と第２柱部４３とを同位相で配列するものとしてもよい。
【００６１】
そのような保持器４０を製造するための帯状材料は、幅方向の両端面から突出している複数の第１柱部４２及び第２柱部４３と、各第１柱部４２及び各第２柱部４３間に形成されるポケット４４とを有する。帯状材料は、その長手方向の両端部を突き合せたときに、幅方向の両端面側にそれぞれ１つずつポケット４４が形成されるものになっている。すなわち、帯状材料の長手方向の両端には、周方向に１／２サイズのポケット４４が形成されている。
【００６２】
その形態の保持器は、図５のように、環状部４１の一端面側に周方向に並列する複数のポケット４４と、他端面側に周方向に並列する複数のポケット４４とが同位相となっている。そのため、突合せ溶接がなされる箇所においては、溶接部４１ａの両端がポケット４４の底面（ポケット面ｐｆ２）上に位置する。従って、当該箇所のポケット４４の深さを他のポケット４４よりも深くすることにより、溶接部４１ａが設けられるポケット４４の底部（ポケット面ｐｆ２）と、これに対向するころ３０の端面との接触を確実に回避できる。
【００６３】
ころ３０の軸方向中央側への移動の規制は、ポケット４４の底部側において、周方向に対向したポケット面ｐｆ１をころ３０の端部の外径よりも２面間の幅が窄まるような、テーパ状に形成することでも行える。このようにすると、軸方向中央側に移動したころ３０の端部付近の外周がポケット面ｐｆ１に接触し、接触した位置からの底部（ポケット面ｐｆ２）側への移動が規制される。
【００６４】
このテーパのポケット面ｐｆ１によるころ３０の移動規制と、中つば２２によるころの移動規制は併用することができる。また、ポケット面ｐｆ１をころ３０の端部の外径よりも２面間の幅が窄まる構造をとることで、中つば２２のない軸受形式の保持器にも適用することができる。さらに、ころ３０のスキューを抑制するために設けられる案内輪を有する軸受形式の保持器にも適用することができる。
【００６５】
溶接部４１ａが設けられたポケット４４は、他のポケット４４よりも深さが深く、図１、３、４、５には、ポケット４４の底部の全域が他のポケット４４より深くなっている態様が示されているが、これに限らずともよい。例えば、図６のように、ポケット４４の底部の溶接部４１ａの端部が設けられる位置（底部の縁の周方向中央部）に、軸方向中央側に入り込んだ凹部が設けられていてもよい。この凹部は、他のポケット４４の底部（ポケット面ｐｆ２）よりも深くなる方向に入り込んでいる。ポケット４４の溶接部４１ａの端部が位置する部分は、中つば２２の移動規制面２２ａよりも、軸方向の中央側に位置する。そのため、ポケット４４内に保持されたころ３０の一方の端面と、溶接部４１ａの端部とは接触することが無いものとなる。
【００６６】
また、実施形態の保持器４０は、環状部４１の両端面から第１柱部４２及び第２柱部４３が突出する一体の環状体である態様を示しているがこれに限られない。例えば、図７のように、軸方向に１／２サイズである環状部４１と、その一端面から突出する複数の第１柱部４２と、その第１柱部４２間に形成されるポケット４４とを備えた一対の環状部材が、背中合わせの状態で軸方向に突き合わされて一体に接合されたものであってもよい。この保持器４０のポケット４４の配列は、千鳥配列であるものが望ましい。しかし、環状部４１の一端面側に位置するポケット４４と他端面側に位置するポケット４４とが、周方向に同位相に配列されたものでも構わない。また、一対の環状部材は軌道列毎に別体に組み込まれ相互に相対回転するものでも構わない。
【００６７】
以上述べた態様は、あくまでも一例であって制限的なものではない。本発明の範囲は特許請求の範囲によって示され、特許請求の範囲内およびこれと均等の意味でのすべての修正と変形を含む。
【符号の説明】
【００６８】
１  自動調心ころ軸受
１０  外輪
１０ａ  外周面
１０ｂ  内周面
１１  軌道面
２０  内輪
２０ａ  外周面
２０ｂ  内周面
２１  軌道面
２２  中つば
２２ａ  移動規制面
２３  外つば
２３ａ  移動規制部
２４  油だまり
３０  ころ
４０  保持器
４１  環状部
４１ａ  溶接部
４１ｂ  溶接ビード
４２  第１柱部
４３  第２柱部
４４  ポケット
Ｏ  軸心
ｐｆ１  ポケット面
ｐｆ２  ポケット面
【図１】
2020159379.tif 000003
【図２】
2020159379.tif 000004
【図３】
2020159379.tif 000005
【図４】
2020159379.tif 000006
【図５】
2020159379.tif 000007
【図６】
2020159379.tif 000008
【図７】
2020159379.tif 000009